【事件の表示】
　商願２００８−　５９５８５拒絶査定不服審判事件について、次のとおり審決する。
【結　論】
　本件審判の請求は、成り立たない。
【理　由】
１　本願商標
　本願商標は別掲Ａのとおりの構成よりなり、第９類「電気アイロン，電気式ヘアカーラー，電気ブザー，電気通信機械器具，電子応用機械器具及びその部品，家庭用テレビゲームおもちゃ，携帯用液晶画面ゲームおもちゃ用のプログラムを記憶させた電子回路及びＣＤ−ＲＯＭ，レコード，メトロノーム，電子楽器用自動演奏プログラムを記憶させた電子回路及びＣＤ―ＲＯＭ，インターネットを利用して受信し、及び保存することができる音楽ファイル，映写フィルム，スライドフィルム，スライドフィルム用マウント，インターネットを利用して受信し、及び保存することができる画像ファイル，録画済みビデオディスク及びビデオテープ，電子出版物」、第２５類「被服，ガーター，靴下止め，ズボンつり，バンド，ベルト，履物，仮装用衣服，運動用特殊衣服，運動用特殊靴」、第４１類「当せん金付証票の発売，宗教教育，宗教教育に関する情報の提供，技芸・スポーツ又は知識の教授，献体に関する情報の提供，献体の手配，宗教に関する講演会・研修会の企画・運営又は開催，セミナーの企画・運営又は開催，電子出版物の提供，図書及び記録の供覧，書籍の制作，興行の企画・運営又は開催（映画・演芸・演劇・音楽の演奏の興行及びスポーツ・競馬・競輪・競艇・小型自動車競走の興行に関するものを除く。）」及び第４５類「宗教集会の運営，宗教に関する情報の提供，結婚又は交際を希望する者への異性の紹介，婚礼（結婚披露宴を含む。）のための施設の提供，葬儀の執行，墓地又は納骨堂の提供，個人の身元又は行動に関する調査，占い，身の上相談」を指定商品及び指定役務として、平成２０年７月２２日に登録出願されたものである。
　
２　原査定の拒絶の理由の要点
　原査定において、本願商標が商標法第４条第１項第１１号に該当するとして引用した登録商標は、以下のとおりであり、いずれも現に有効に存続しているものである。
（１）登録第１５１２２０号（以下「引用商標１」という。）
　商標の構成：別掲Ｂのとおり
　登録出願日：大正１１年８月８日
　設定登録日：大正１２年４月７日
　回復登録日：大正１４年４月８日
　最新更新登録日：平成１５年３月１８日
　書換登録日：平成１６年７月２１日
　指定商品及び指定役務：第２５類「被服（頭から冠る防虫網・あみ笠・すげ笠・ナイトキャップ，帽子を除く。），運動用特殊衣服，マラソン足袋，地下足袋」を含む第２４類及び第２５類に属する商標登録原簿記載のとおりの商品
（２）登録第１５１２２１号（以下「引用商標２」という。）
　商標の構成：別掲Ｃのとおり
　登録出願日：大正１１年８月８日
　設定登録日：大正１２年４月７日
　回復登録日：大正１４年４月８日
　最新更新登録日：平成１５年３月２５日
　書換登録日：平成１６年７月２１日
　指定商品及び指定役務：第６類、第８類、第９類、第１９類、第２０類、第２１類及び第２８類に属する商標登録原簿記載のとおりの商品
（３）登録第１５１２２５号（以下「引用商標３」という。）
　商標の構成：別掲Ｄのとおり
　登録出願日：大正１１年１０月６日
　設定登録日：大正１２年４月７日
　回復登録日：大正１４年５月２１日
　最新更新登録日：平成１５年３月２５日
　書換登録日：平成１６年７月２８日
　指定商品及び指定役務：第２８類「テニスラケット用ガット」を含む第１８類及び第２８類に属する商標登録原簿記載のとおりの商品
（４）登録第７２４９７９号（以下「引用商標４」という。）
　商標の構成：ＷＯＲＬＤ
　登録出願日：昭和３９年１２月２８日
　設定登録日：昭和４１年１１月１６日
　最新更新登録日：平成１８年１０月３１日
　書換登録日：平成１８年１１月２２日
　指定商品及び指定役務：第５類「失禁用おしめ」、第９類「事故防護用手袋」、第１０類「医療用手袋」、第１６類「紙製幼児用おしめ」、第１７類「絶縁手袋」、第２１類「家事用手袋」及び第２５類「被服」を含む第５類、第９類、第１０類、第１６類、第１７類、第２１類、第２４類及び第２５類に属する商標登録原簿記載のとおりの商品
（５）登録第７３６７９４号（以下「引用商標５」という。）
　商標の構成：ＷＯＲＬＤ
　登録出願日：昭和３９年１２月２８日
　設定登録日：昭和４２年３月２４日
　最新更新登録日：平成１９年３月６日
　書換登録日：平成１９年７月１８日
　指定商品及び指定役務：第６類「アイゼン，カラビナ，ハーケン，金属製飛び込み台，拍車」、第８類「水中ナイフ，水中ナイフ保持具，ピッケル」、第９類「ウエイトベルト，浮袋，運動用保護ヘルメット，エアタンク，水泳用浮き板，レギュレーター，家庭用テレビゲームおもちゃ，携帯用液晶画面ゲームおもちゃ用のプログラムを記憶させた電子回路及びＣＤ−ＲＯＭ，電子楽器用自動演奏プログラムを記憶させた電子回路及びＣＤ−ＲＯＭ，メトロノーム，レコード」、第１５類「楽器，演奏補助品，音さ」、第１８類「乗馬用具」、第１９類「飛び込み台（金属製のものを除く。）」、第２０類「スリーピングバッグ，揺りかご，幼児用歩行器」、第２１類「コッフェル」、第２２類「ザイル，登山用又はキャンプ用のテント」、第２５類「運動用特殊衣服，運動用特殊靴（「乗馬靴」を除く。），水上スポーツ用ウエットスーツ，乗馬靴，仮装用衣服」、第２７類「体操用マット」及び第２８類「運動用具，おもちゃ，人形」を含む第６類、第８類、第９類、第１５類、第１８類、第１９類、第２０類、第２１類、第２２類、第２４類、第２５類、第２７類、第２８類及び第３１類に属する商標登録原簿記載のとおりの商品
（６）登録第１１７３０６９号（以下「引用商標６」という。）
　商標の構成：ＷＯＲＬＤ
　登録出願日：昭和４３年１２月２０日
　設定登録日：昭和５０年１２月４日
　最新更新登録日：平成１７年８月１６日
　書換登録日：平成１８年７月５日
　指定商品及び指定役務：第７類「家庭用食器洗浄機，家庭用電気式ワックス磨き機，家庭用電気洗濯機，家庭用電気掃除機，電気ミキサー」、第９類「電気アイロン，電気式ヘアカーラー，電気ブザー，電気通信機械器具，電子応用機械器具及びその部品」及び第１１類「家庭用電熱用品類」を含む第７類、第９類、第１１類及び第１２類に属する商標登録原簿記載のとおりの商品
（７）登録第３３０４８６７号（以下「引用商標７」という。）
　商標の構成：別掲Ｅのとおり
　登録出願日：平成４年９月３０日
　設定登録日：平成９年５月１６日
　更新登録日：平成１９年１１月２７日
　指定商品及び指定役務：「図書及び記録の供覧」を含む第４１類に属する商標登録原簿記載のとおりの役務
（８）登録第４０６００４９号（以下「引用商標８」という。）
　商標の構成：ワールド
　　　　　　　世　　界
　登録出願日：平成４年９月２９日
　設定登録日：平成９年９月２６日
　更新登録日：平成１９年１０月１６日
　指定商品及び指定役務：「結婚又は交際を希望する者への異性の紹介，婚礼（結婚披露を含む。）のための施設の提供，葬儀の執行，個人の身元又は行動に関する調査」を含む第４２類に属する商標登録原簿記載のとおりの役務
（９）登録第４０６１５４０号（以下「引用商標９」という。）
　商標の構成：別掲Ｅのとおり
　登録出願日：平成４年９月３０日
　設定登録日：平成９年１０月３日
　更新登録日：平成１９年１０月１６日
　指定商品及び指定役務：「結婚又は交際を希望する者への異性の紹介，婚礼（結婚披露を含む。）のための施設の提供，葬儀の執行，墓地又は納骨堂の提供，個人の身元又は行動に関する調査」を含む第４２類に属する商標登録原簿記載のとおりの役務
（１０）登録第４５７６４８９号（以下「引用商標１０」という。）
　商標の構成：別掲Ｆのとおり
　登録出願日：平成１３年７月２７日
　設定登録日：平成１４年６月１４日
　指定商品及び指定役務：第１６類「印刷物」
（１１）登録第４６９４６７５号（以下「引用商標１１」という。）
　商標の構成：別掲Ｇのとおり
　登録出願日：平成１３年７月６日
　設定登録日：平成１５年７月２５日 
　指定商品及び指定役務：第４１類「会議の手配および運営，セミナーの手配および運営，教育に関する競技会の運営，シンポジウムの手配および運営，研修会の手配および管理，セミナーの企画・運営又は開催，書籍の制作，スポーツキャンプの企画・運営又は開催，体育の教授，実地教育，その他の技芸・スポーツ又は知識の教授，全寮制学校における教育，娯楽に関する競技会の運営，文化又は教育のための展示会の運営」を含む第３５類及び第４１類に属する商標登録原簿記載のとおりの役務
（１２）登録第４７５６５５２号商標（以下「引用商標１２」という。）
　商標の構成：Ｗ　ＤＩＶＩＮＥ（標準文字）
　登録出願日：平成１５年２月２４日
　設定登録日：平成１６年３月１９日
　指定商品及び指定役務：第１４類「貴金属製靴飾り」、第１８類「乗馬用具」及び第２５類「被服，ガーター，靴下止め，ズボンつり，バンド，ベルト，履物，仮装用衣服，乗馬靴」を含む第１４類、第１８類、第２４類及び第２５類に属する商標登録原簿記載のとおりの商品
（１３）登録第４７６７４３１号商標（以下「引用商標１３」という。）
　商標の構成：ＤＩＶＩＮＥ（標準文字）
　登録出願日：平成１５年２月２４日
　設定登録日：平成１６年４月３０日
　指定商品及び指定役務：第１４類「貴金属製靴飾り」、第１８類「乗馬用具」及び第２５類「被服，ガーター，靴下止め，ズボンつり，バンド，ベルト，履物，仮装用衣服，乗馬靴」を含む第１４類、第１８類、第２４類及び第２５類に属する商標登録原簿記載のとおりの商品
（１４）登録第５１４４８０６号（以下「引用商標１４」という。）
　商標の構成：別掲Ｈのとおり
　登録出願日：平成１９年８月１５日
　設定登録日：平成２０年６月２７日
　指定商品及び指定役務：第９類「サングラス，その他の眼鏡，家庭用テレビゲームおもちゃ，携帯用液晶画面ゲームおもちゃ用のプログラムを記憶させた電子回路及びＣＤ−ＲＯＭ，レコード，メトロノーム，電子楽器用自動演奏プログラムを記憶させた電子回路及びＣＤ−ＲＯＭ，インターネットを利用して受信し、及び保存することができる音楽ファイル，映写フィルム，スライドフィルム，スライドフィルム用マウント，インターネットを利用して受信し、及び保存することができる画像ファイル，録画済みビデオディスク及びビデオテープ」
（１５）登録第５１４４８０７号（以下「引用商標１５」という。）
　商標の構成：別掲Ｈのとおり
　登録出願日：平成１９年８月１５日
　設定登録日：平成２０年６月２７日
　指定商品及び指定役務：「おもちゃ，人形，運動用具」を含む第２８類に属する商標登録原簿記載のとおりの商品
（１６）登録第５１４７２９９号（以下「引用商標１６」という。）
　商標の構成：別掲Ｈのとおり
　登録出願日：平成１９年８月６日
　設定登録日：平成２０年７月４日
　指定商品及び指定役務：第２５類「被服，ガーター，靴下止め，ズボンつり，バンド，ベルト」
　
３　当審の判断
（１）本願商標と引用商標の類否について
（ア）本願商標
　本願商標は、別掲Ａのとおり、「ＷＯＲＬＤ」、黒塗りの円内に白抜きで表されているデザイン化された「Ｄ」の文字及びこれに連なる「ｉＶｉＮＥ」並びに「ＬＩＧＨＴ」の欧文字を、３段に横書きしてなるものである。
　また、本願商標を構成する上段の「ＷＯＲＬＤ」は、文字の一画毎の端に小さな飾り（「セリフ」と称される。）のついた縦横の太さが異なる書体の、全て大文字からなるものであり、中段の「Ｄ」の文字及びこれに連なる「ｉＶｉＮＥ」は、セリフのない縦横の太さが同じ書体の、大文字と小文字からなるものであって、下段の「ＬＩＧＨＴ」は、セリフのない縦横の太さが同じ書体の、全て大文字からなるものである。
　しかして、これらの語は３段に分けて表されているものであるうえに、書体及び文字の大きさを異にするものであるから、それぞれ視覚上分離して看取し得るものである。
　ところで、「ＷＯＲＬＤ」の文字は「世界」、「ＬＩＧＨＴ」の文字は「光、明るい、軽い」等の意味で一般に親しまれている平易な英語である。
　そして、「Ｄ」の文字及びこれに連なる「ｉＶｉＮＥ」の文字部分は、その構成態様から、「神の［に関する］、素晴らしくよい、神学者、人間の霊的［神的］な面、占う、見抜く」（「小学館　ランダムハウス英和大辞典」、小学館、第２刷第２版、１９９４）等の意味を有する英語「ｄｉｖｉｎｅ」に通じる「ＤｉＶｉＮＥ」であると認識されるものとみるのが自然である。
　そうとすると、本願商標は、これら「ＷＯＲＬＤ」「ＤｉＶｉＮＥ」及び「ＬＩＧＨＴ」の語を結合したものと容易に認識し得るものであり、かつ、これらの語を常に一体のものとして把握しなければならないような意味上の関連性もない。
　この状況をかんがみれば、これらの各語は、いずれもそれ自体独立して自他商品及び役務の識別標識としての機能を果たし得ると認められるものであるから、本願商標は、「ワールド」又は「ディバイン」の称呼をも生ずるものである。
（イ）引用商標１ないし１１及び１４ないし１６
　引用商標１ないし３（別掲ＢないしＤ）は「ＷＯＲＬＤ」及び「ワールド」の文字からなるものであり、引用商標４ないし６、７及び９（別掲Ｅ）並びに１４ないし１６（別掲Ｈ）は「ＷＯＲＬＤ」の文字からなるものであるから、いずれも「ワールド」の称呼を生ずるものである。
　また、引用商標８は「ワールド」及び「世界」の文字からなるものであるから、これより「ワールド」の称呼をも生ずるものである。
　そして、引用商標１０は別掲Ｆのとおりの構成よりなるところ、その構成中「ＷＯＲＬＤ」の文字は中央部に大きく顕著に表されていることから、該文字部分も独立して自他商品の識別機能を果たすものと認められ、これより「ワールド」の称呼をも生ずるものである。
　更に、引用商標１１は別掲Ｇのとおり、「ＷＯＲＬＤ」の文字と、「Ｃ」又は「ＣＣ」の文字をレタリングしてなると覚しき図形を配してなるものであるが、その構成態様から、これらの文字部分と図形部分が、外観上及び観念上それぞれ独立して認識の対象となり得るものといえる上、両者を常に一体不可分のものとして把握しなければならないとするような格別の事由は見出し得ない。
　そうとすると、引用商標１１からは「ＷＯＲＬＤ」の文字が分離して看取され、これより「ワールド」の称呼を生ずるものというのが相当である。
　そこで、本願商標と引用商標１ないし１１及び１４ないし１６の類否についてみると、両商標は、「ワールド」の称呼と、上記（ア）で述べた「世界」の観念とを共通にするものである。
　そうとすると、本願商標と引用商標１ないし１１及び１４ないし１６とは、外観においては相違するとしても、称呼及び観念を同一にする類似の商標というべきである。
　また、本願商標の指定商品及び指定役務は、引用商標１ないし１１及び１４ないし１６の指定商品及び指定役務と同一又は類似の商品及び役務を含むものである。
（ウ）引用商標１２及び１３
　引用商標１２は「Ｗ　ＤＩＶＩＮＥ」の文字からなるものであるが、「Ｗ」と「ＤＩＶＩＮＥ」の間に１文字程度の間隔があって視覚上分離して看取し得るものであり、また、これらの文字は常に一体不可分のものとして特定の意味を表すものとも理解し得ないところである。
　そして、欧文字１文字は商品の品番、規格等を表示する記号、符号として一般に使用されているものであるから、引用商標に接する取引者、需要者は、「ＤＩＶＩＮＥ」の文字部分に着目し、これから生ずる「ディバイン」の称呼をもって取引に当たる場合も決して少なくないとみるのが相当である。
　また、引用商標１３は「ＤＩＶＩＮＥ」の文字からなるものであり、「ディバイン」の称呼を生ずるものである。
　そこで、本願商標と引用商標１２及び１３の類否についてみると、両商標は、「ディバイン」の称呼と、上記（ア）で述べた「神の［に関する］、素晴らしくよい」等の観念とを共通にするものである。
　そうとすると、本願商標と引用商標１２及び１３とは、外観においては相違するとしても、称呼及び観念を同一にする類似の商標というべきである。
　また、本願商標の指定商品及び指定役務は、引用商標１２及び１３の指定商品と同一又は類似の商品及び役務を含むものである。
（エ）したがって、本願商標は、商標法第４条第１項第１１号に該当するものである。
（２）請求人の主張
　請求人は、本人が所有する登録第５１２３０９９号商標をはじめとする他の登録例を挙げ、本願商標も同様に登録されるべきである旨主張するが、請求人が挙げる他の登録例は、商標の具体的構成において、本願商標とは事案を異にするものであって、これら事例をもって、本願商標の登録の適否を判断する基準とするのは必ずしも適当でなく、かつ、本願商標と引用商標の類否の判断は、当該出願に係る商標と他人の登録商標（引用商標）との対比において、個別・具体的に判断すべきものであり、過去の登録例に拘束されることなく検討されるべきものである。
　以上のとおり、請求人の主張は、いずれも採用することができない。
（３）まとめ
　したがって、本願商標は、商標法第４条第１項第１１号に該当するとして本願を拒絶した原査定は、妥当なものであり、取消すことはできない。
　よって、結論のとおり審決する。